(57)【特許請求の範囲】
【請求項１】
端子収容室に端子金具を係止するランスが設けられ、該ランスが解除治具によって係止解除可能となるコネクタであって、
前記ランスの前記端子金具に係止するビークに、治具先端を位置決めする治具挿入用の係合孔が形成され、
前記係合孔は、コネクタ前面側より端子金具の挿入方向に沿って形成され、
前記係合孔は、ビークの後端部でランス解除方向と反対側となる上方に向かって傾斜した傾斜面を有することを特徴とするコネクタ。
【請求項２】
端子収容室に端子金具を係止するランスが設けられ、該ランスが解除治具によって係止解除可能となるコネクタであって、
前記ランスの前記端子金具に係止するビークに、治具先端を位置決めする治具挿入用の係合孔が形成され、
前記係合孔は、コネクタ前面側より端子金具の挿入方向に沿って形成され、
前記係合孔は、ビークの後端部で端子金具の挿入方向と直交する縦孔がランス解除側から接続されていることを特徴とするコネクタ。
【発明の詳細な説明】
【技術分野】
【０００１】
本発明は、端子収容室に端子金具を係止するランスが設けられ、このランスが解除治具によって係止解除可能となるコネクタに関する。
【背景技術】
【０００２】
コネクタにはリペア性を向上するため解除治具による端子金具の係止解除を行えるようにしたものがある。例えば特許文献１に開示されるコネクタは、図６に示すように、コネクタハウジング５０１内に端子５０３が収納され、この端子５０３が弾性変形する可撓性ランス５０７で係止されたコネクタ５０９に対し、可撓性ランス５０７による端子５０３の係止状態を解除可能にする。端子５０３をコネクタハウジング５０１内から抜くには端子抜き治具５１１が使用される。端子抜き治具５１１は、可撓性ランス５０７による端子５０３の係止状態を解除するランス解除ピン５１３と、このランス解除ピン５１３よりも突出量が小さくなっていて端子５０３を押し出す端子抜きピン５１５とを、治具本体５１７の先端にそれぞれ別々に設けている。ランス解除ピン５１３が治具本体５１７に対して突出ストロークを可変する突出方向及び収納方向に移動自在で、且つ、該突出方向に付勢手段により付勢されている。
【０００３】
この端子抜き治具５１１では、先端側をコネクタハウジング５０１に入れて押し、ランス解除ピン５１３で可撓性ランス５０７を弾性変形させて可撓性ランス５０７と端子５０３との係止状態を解除し、この状態よりさらに端子抜き治具５１１をコネクタハウジング５０１に入れて押すと、ランス解除ピン５１３が付勢手段の付勢力に抗して収納方向に移動することによってランス解除ピン５１３がその位置を保持しながら端子抜きピン５１５のみが奥に挿入され、この端子抜きピン５１５が端子５０３をコネクタハウジング５０１から押し出す。
【先行技術文献】
【特許文献】
【０００４】
【特許文献１】特開２０００−２２３２３８号公報
【発明の概要】
【発明が解決しようとする課題】
【０００５】
しかしながら、従来のコネクタは、端子収容室の内部に設けられた小さなランスの先端に形成される微細な治具掛かり代に、治具先端を掛けて解除する作業が強いられ、熟練が必要とされている。上記従来例では、ランス解除ピン５１３で可撓性ランス５０７を弾性変形させて端子５０３との係止状態を解除する必要がある。この解除性はコネクタが小型化された場合、さらに低下し、治具先端がランス先端から滑って外れ易くなり、リペア作業を困難にした。
【０００６】
本発明は上記状況に鑑みてなされたもので、その目的は、コネクタが小型化されても、ランスの係止解除が容易に行えるコネクタを提供することにある。
【課題を解決するための手段】
【００１１】
本発明に係る上記目的は、下記構成により達成される。
（１）  端子収容室に端子金具を係止するランスが設けられ、該ランスが解除治具によって係止解除可能となるコネクタであって、
前記ランスの前記端子金具に係止するビークに、治具先端を位置決めする治具挿入用の係合孔が形成され、
前記係合孔は、コネクタ前面側より端子金具の挿入方向に沿って形成され、
前記係合孔は、ビークの後端部でランス解除方向と反対側となる上方に向かって傾斜した傾斜面を有することを特徴とするコネクタ。
【００１２】
このコネクタによれば、ランスに開けられた係合孔から解除治具が入り、奥部の傾斜面に沿って進行し、最終的には解除治具の先端がランスの上面より露出し、端子金具を押し上げる。さらにその状態から解除治具を、先端を支点とするてこのように傾けることで、ランスを下方に変位させると同時に端子金具を上に押し上げる。これにより、ランスと端子金具をそれぞれの解除方向、すなわち、離反方向へ同時に移動でき、解除方向の変位量を大きくできる。
このコネクタによれば、コネクタ前面側に形成される端子受入口を利用して、ランスに形成した係合孔に対する解除治具の挿入を容易にできる。
このコネクタによれば、係合孔に挿入した解除治具の先端が傾斜面に当たり、解除治具をてこのように傾ける（持ち上げる）ことで、傾斜面を押し下げ（ランスを解除方向に変形させ）、端子金具を押し上げる（解除方向に移動させる）ことができる。
【００１３】
（２）  端子収容室に端子金具を係止するランスが設けられ、該ランスが解除治具によって係止解除可能となるコネクタであって、
前記ランスの前記端子金具に係止するビークに、治具先端を位置決めする治具挿入用の係合孔が形成され、
前記係合孔は、コネクタ前面側より端子金具の挿入方向に沿って形成され、
前記係合孔は、ビークの後端部で端子金具の挿入方向と直交する縦孔がランス解除側から接続されていることを特徴とするコネクタ。
【００１４】
このコネクタによれば、縦孔から鉤部を先端に有した解除治具が挿入され、縦孔と接続する係合孔に鉤部が掛けられ、解除治具が引っ張られることで、ランスを係止解除方向に撓めて変位させて、ランスに解除力を直接作用させる確実な係止解除が可能となる。
【発明の効果】
【００１５】
本発明に係るコネクタによれば、コネクタが小型化されても、ランスの係止解除を容易に行うことができる。
【図面の簡単な説明】
【００１６】
【図１】（ａ）は本発明に係るコネクタの断面図、（ｂ）はその要部拡大図である。
【図２】図１に示すコネクタの外観斜視図である。
【図３】ランスの解除動作説明図である。
【図４】（ａ）は他の実施の形態に係るコネクタの断面図、（ｂ）はその要部拡大図である。
【図５】他の実施の形態に係るランスの解除動作説明図である。
【図６】従来のコネクタにおけるランス解除状況を表した断面図である。
【発明を実施するための形態】
【００１７】
以下、本発明の実施の形態を図面を参照して説明する。
図１（ａ）は本発明に係るコネクタの断面図、（ｂ）はその要部拡大図、図２は図１に示すコネクタの外観斜視図である。
本実施の形態に係るコネクタ１１は、直方体に形成されるコネクタハウジング１３の長手方向の一端面に、図示しない相手側コネクタの雄端子を受け入れる端子受入口１５を複数開口させている。端子受入口１５は、コネクタハウジング１３の内部に画成されている複数の端子収容室１７のそれぞれに連通する。本明細書では説明の都合上、コネクタ１１の端子受入口１５を前、その反対側を後と称する。
【００１８】
端子収容室１７は、下段の端子収容室１７との間が底壁１９によって仕切られている。端子収容室１７には、コネクタハウジング１３の後部に開口する端子装着口２１から不図示の端子金具が挿入される。この端子金具が装着される空間にはランス２５が突出している。ランス２５は、合成樹脂材料によりコネクタハウジング１３と一体に成形されている。基端２７が底壁１９に接続されたランス２５は、先端が自由端２９となる。ランス２５は、底壁１９に基端２７が片持ち状に支持されて弾性変形可能となる。ランス２５の下方には、底壁１９との間に退避空間１７ａが形成されている。
【００１９】
ランス２５は、自由端２９の近傍の上面に、ビーク３１が形成されている。ビーク３１は、後部が斜面３３となり、前部が係止部３５となる。斜面３３は、端子金具が挿入される際、端子金具の電気接触部先端（図示せず）が当たり、ランス２５を退避空間１７ａへ押し下げる分力を生じさせる。係止部３５は、ランス２５が弾性復帰して元の位置に戻ったとき、端子金具の係止穴（図示せず）に係止して、端子金具の後方への離脱を規制する。
【００２０】
コネクタ１１は、ランス２５の端子金具に対する係止が、解除治具３７（図３参照）によって解除可能となる。解除治具３７は、アーム部３９と治具先端の作用部４１からなっている。ランス２５の端子金具に係止するビーク３１には、治具先端を位置決めする治具挿入用の係合孔４３が形成されている。
【００２１】
係合孔４３は、コネクタ前面側より端子金具の挿入方向に沿って形成される。コネクタ前面側に形成される端子受入口１５を利用して、ランス２５に形成した係合孔４３に対する解除治具３７の挿入を容易にできるようになされている。
【００２２】
また、係合孔４３は、ビーク３１の裾部を前後方向に貫通している。図示しない端子金具の係止孔に係止するビーク３１を貫通して係合孔４３が形成されることで、解除治具３７がビーク３１を貫通して挿入でき、後の解除治具３７によるランス２５の変形作業において、ビーク３１が係止孔から外れる方向のランス変形量を大きくして、係止孔からのビーク３１の離脱を容易にしている。
【００２３】
係合孔４３は、ビーク３１の後端部でランス解除方向と反対側となる上方に向かって傾斜した傾斜面４５を有している。係合孔４３に傾斜面４５が形成されることで、係合孔４３に挿入した解除治具３７の先端が傾斜面４５に当たり、解除治具３７をてこのように傾ける（持ち上げる）ことで、傾斜面４５を押し下げ（ランス２５を解除方向に変形させ）、端子金具を押し上げる（解除方向に移動させる）ことができるようになされている。
【００２４】
次に、上記構成を有するコネクタ１１の作用を説明する。
図３はランス２５の解除動作説明図である。
端子金具の装着時、端子金具がコネクタハウジング１３の後部の端子装着口２１から挿入されると、ランス２５の斜面３３に端子金具の先端が当接する。端子金具が更に挿入されると、斜面３３の押圧されたランス２５は、自由端２９が退避空間に移動する方向に撓められて弾性変形する。
【００２５】
端子金具が所定位置まで挿入されると、係止穴がビーク３１の係止部３５に一致し、ランス２５が弾性復元力によって元の位置に戻り、端子金具は、ビーク３１が係止穴に進入した係止状態となる。係止穴にビーク３１が係止した端子金具は、コネクタハウジング１３の後部からの離脱が規制されることとなる。
【００２６】
一方、コネクタ１１又は端子金具に交換が生じた際には、コネクタ１１から端子金具が外されるリペア作業が行われる。リペア作業では、ランス２５に係止された端子金具を解除する際、先ず、解除治具３７がコネクタ前方から端子収容室１７に入り、ランス２５に到達する。ここでランス２５に開けられた係合孔４３から解除治具３７が入り、奥部の傾斜面４５に沿って進行し、最終的には作用部４１がランス２５の上面より露出し、端子金具を押し上げる。この押し上げにより、端子金具の係り代は若干少なくなる。
【００２７】
さらにその状態から解除治具３７をてこのように傾けることで、ランス２５を下方に変位させると同時に端子金具をさらに上に押し上げる。ランス２５と端子金具をそれぞれの解除方向、すなわち、離反方向へ同時に移動でき、解除方向の変位量を大きくできる。この結果、ビーク３１が端子金具から離反して、端子金具に対するランス２５の係止が容易に解除される。このように、本コネクタでは、従来のランス２５に設置された微小な突起に治具を当て、下方に可能な限り変位させて解除していた構造と比較し、容易に端子解除が可能となる。
【００２８】
なお、解除治具３７は、アーム部３９に弾性を付与することが望ましい。アーム部３９が弾性を有していることで、図３の下図において、作用部４１を支点としてアーム部３９をＵ字状に湾曲される。湾曲したアーム部３９は、湾曲前部で係合孔４３を介してランス２５は押し下げ、湾曲後部で端子金具は押し上げることが可能となる。
【００２９】
この実施の形態に係るコネクタ１１によれば、解除治具３７の全体を使用し、従来の微小な掛かり部に力をかける必要がないため、操作は容易であり、ランス２５の離脱作業のミスによる変形を抑制することもできる。また、解除治具３７を係合孔４３に挿入するだけで、端子金具の掛かり代を減らすことができるので、解除動作に移行した後の変位量を、従来の離脱作業の変位量よりも少なくできる。
【００３０】
次に、本発明に係るコネクタ１１の他の実施の形態を説明する。
図４（ａ）は他の実施の形態に係るコネクタ１１Ａの断面図、（ｂ）はその要部拡大図である。なお、図１〜図３に示した部材と同一の部材には同一の符合を付し重複する説明は省略することとする。
この実施の形態によるコネクタ１１Ａは、ビーク３１の後端部で端子金具の挿入方向と直交する縦孔４７が、ランス解除側（図４の下側）から係合孔４３に接続されている。底壁１９には解除治具３７を縦孔４７に挿入するための開口部４１が形成されている。また、このコネクタ１１Ａに使用される解除治具３７は、先端が鉤部４９を有した作用部となっている。
【００３１】
次に、他の実施の形態によるコネクタ１１Ａの作用を説明する。
図５は他の実施の形態に係るランス２５の解除動作説明図である。
この実施の形態に係るコネクタ１１Ａでは、縦孔４７から鉤部４９を先端に有した解除治具３７が挿入され、縦孔４７と接続する係合孔４３に鉤部４９が掛けられる。次いで、解除治具３７が引っ張られることで、ランス２５を係止解除方向に撓めて変位させる。ランス２５に解除力を直接作用させることで、端子金具に対するビーク３１の係止を解除する。
この実施の形態に係るコネクタ１１Ａによれば、コネクタ前方からの長い距離を治具が進む必要がなく、直接的にランス２５を変位させることができ、確実な係止解除が可能となる。
【００３２】
したがって、上記した各本実施の形態に係るコネクタ１１、１１Ａによれば、コネクタ１１が小型化されても、ランス２５の係止解除を容易に行うことができる。
【符号の説明】
【００３３】
１１  コネクタ
１７  端子収容室
２５  ランス
３１  ビーク
３７  解除治具
４３  係合孔
４５  傾斜面
４７  縦孔
【図１】
0005721369.tif 000002
【図２】
0005721369.tif 000003
【図３】
0005721369.tif 000004
【図４】
0005721369.tif 000005
【図５】
0005721369.tif 000006
【図６】
0005721369.tif 000007